(57)【要約】      （修正有）【課題】農作業や自動車修理等で使用される、上半身の折り曲げや膝の屈曲時にツナギ作業着が引張られることなく、かつ快適性の優れた使い易い構造のツナギ作業着を提供する。【解決手段】ツナギ作業着の上半身は、胸部３と背中部５との合わせ目及び袖部１０の下部分に適宜幅でそれぞれ切り欠き部分を形成し、切り欠き部分を被うように細目網状のメッシュ１３を縫着する。また、肩部４の左右個所には、肩部４布の下地に適宜幅で切り欠き部分を形成し、切り欠き部分を被う細目網状のメッシュ１３を縫着し、該メッシュ１３を肩部４布により目隠しする。ツナギ作業着の下半身は、膝部８の左右個所には、膝部８布の下地に横方向一直線に適宜幅で切り欠き部分を形成し、切り欠き部分を被う細目網状のメッシュ１２を縫着し、折り返し部１５を形成してメッシュ１３を膝部８布により目隠しする。【選択図】図１
0003106242.tif 000002
【実用新案登録請求の範囲】
【請求項１】
強靭な天然繊維又は人工繊維の布地から形成され、上半身と下半身とが腰部で一体に連結されたツナギ作業着において、前記上半身は、袖部と脇の下部分に適宜幅でそれぞれ切り欠き部分を形成し、該切り欠き部分を被うように細目網状のメッシュを縫着し、肩部の左右個所には、肩部布の下地に適宜幅で切り欠き部分を形成し、該切り欠き部分を被う細目網状のメッシュを縫着して前記肩部布により前記メッシュの目隠しを行い、背中部の左右個所には、背中部布の下地に縦方向一直線に適宜幅で切り欠き部分を形成し、該切り欠き部分を被う細目網状のメッシュを縫着して前記背中部布により前記メッシュの目隠しをすると共に、前記下半身は、腿部の左右には、腿部布の下地に横方向一直線に適宜幅で切り欠き部分を形成し、該切り欠き部分を被う細目網状のメッシュを縫着し、折り返し部を形成して前記腿部布により前記メッシュの目隠しを行い、膝部の左右には、膝部布の下地に横方向一直線に適宜幅で切り欠き部分を形成し、該切り欠き部分を被う細目網状のメッシュを縫着し、折り返し部を形成して前記膝部布により前記メッシュの目隠しを行ったことを特徴とするツナギ作業着。
【請求項２】
背中部の下方の腰部に横方向の多数の襞を形成した襞部分を設け、屈伸時に伸縮自在の構成としたことを特徴とする請求項１記載のツナギ作業着。
【考案の詳細な説明】
【技術分野】
【０００１】
本考案は、農作業や自動車修理等で使用される、上下作業服が一体となったツナギ作業着に関する。
【背景技術】
【０００２】
従来、農作業や自動車修理等で使用される上下作業服が一体となっているツナギ作業着は、腰部分がスッキリとしているので作業性がよく、また強靭性に優れているので多くの人々に利用されている。
そのため、ツナギ作業着を色々と改良して利便性を良くしたものが公知となっている（特許文献１を参照）。
しかし、既知のツナギ作業着は、快適性が悪く、特に夏場には汗が抜けて行かないのでベトベトして通気性が悪かったし、また上半身の折り曲げや膝の屈曲時にツナギ作業着が引張られるので作業がし難い等の欠点があった。
【０００３】
【特許文献１】特開平７−３１６９０４号公報
【考案の開示】
【考案が解決しようとする課題】
【０００４】
本考案は、農作業や自動車修理等で使用される、上半身の折り曲げや膝の屈曲時にツナギ作業着が引張られることなく、かつ快適性の優れた使い易い構造のツナギ作業着を提供するものである。
【課題を解決するための手段】
【０００５】
本考案のツナギ作業着は、強靭な天然繊維又は人工繊維の布地から形成され、上半身と下半身とが腰部で一体に連結されたものにおいて、前記上半身は、袖部と脇の下部分に適宜幅でそれぞれ切り欠き部分を形成し、該切り欠き部分を被うように細目網状のメッシュを縫着し、肩部の左右個所には、肩部布の下地に適宜幅で切り欠き部分を形成し、該切り欠き部分を被う細目網状のメッシュを縫着して前記肩部布により前記メッシュの目隠しを行い、背中部の左右個所には、背中部布の下地に縦方向一直線に適宜幅で切り欠き部分を形成し、該切り欠き部分を被う細目網状のメッシュを縫着して前記背中部布により前記メッシュの目隠しをすると共に、前記下半身は、腿部の左右には、腿部布の下地に横方向一直線に適宜幅で切り欠き部分を形成し、該切り欠き部分を被う細目網状のメッシュを縫着し、折り返し部を形成して前記腿部布により前記メッシュの目隠しを行い、膝部の左右には、膝部布の下地に横方向一直線に適宜幅で切り欠き部分を形成し、該切り欠き部分を被う細目網状のメッシュを縫着し、折り返し部を形成して前記膝部布により前記メッシュの目隠しを行ったものである。
また、本考案のツナギ作業着は、背中部の下方の腰部に横方向の多数の襞を形成した襞部分を設け、屈伸時に伸縮自在の構成としたものである。
【考案の効果】
【０００６】
本考案のツナギ作業着によれば、袖部と脇の下部分、肩部、背中部、腿部、膝部にそれぞれ細目網状のメッシュを縫着しているので、通気性に優れ、汗を掻くことがない。
また、袖と脇の下部分以外の細目網状のメッシュは、それぞれ布地により目隠しされているので、デザイン的に優れている。
さらに、本考案のツナギ作業着によれば、腰部に襞部分、腿部に折り返し部分、膝部に折り返し部分をそれぞれ有するので、腰の折り曲げ、膝の屈伸の際に、ツナギ作業着の伸縮性が優れている。
【考案を実施するための最良の形態】
【０００７】
本考案のツナギ作業着は、強靭な天然繊維又は人工繊維の布地から形成され、上半身と下半身とが腰部で一体に連結されたものである。
前記上半身は、袖部と脇の下部分に適宜幅でそれぞれ切り欠き部分を形成し、該切り欠き部分を被うように細目網状のメッシュを縫着し、肩部の左右個所には、肩部布の下地に適宜幅で切り欠き部分を形成し、該切り欠き部分を被う細目網状のメッシュを縫着して前記肩部布により前記メッシュの目隠しを行い、背中部の左右個所には、背中部布の下地に縦方向一直線に適宜幅で切り欠き部分を形成し、該切り欠き部分を被う細目網状のメッシュを縫着して前記背中部布により前記メッシュの目隠しをしたものである。
前記下半身は、腿部の左右には、腿部布の下地に横方向一直線に適宜幅で切り欠き部分を形成し、該切り欠き部分を被う細目網状のメッシュを縫着し、折り返し部を形成して前記腿部布により前記メッシュの目隠しを行い、膝部の左右には、膝部布の下地に横方向一直線に適宜幅で切り欠き部分を形成し、該切り欠き部分を被う細目網状のメッシュを縫着し、折り返し部を形成して前記膝部布により前記メッシュの目隠しを行ったものである。
また、本考案のツナギ作業着は、背中部の下方の腰部に横方向の多数の襞を形成した襞部分を設け、屈伸時に伸縮自在の構成としたものである。
【実施例】
【０００８】
以下、本考案の一実施例を図面に基づいて説明すると、
本考案のツナギ作業着は、図１の正面図、図２の背面図に示すように、強靭な天然繊維又は人工繊維の布地から形成され、上半身と下半身とが腰部１で一体に連結された作業着からなり、上半身はポケット２を有する前面側の胸部３、肩部４と、背面側の背中部５とから構成され、下半身はポケット２を有する背面側の臀部６と、前面側の腿部７、膝部８とを有する脚部９から構成され、前記上半身にはそれぞれ左右に縫着された袖部１０とからなる。
前記上半身と下半身の前面側には、首から股にかけて直線上にファスナー１１を設け、該ファスナー１１の開閉により作業着を着脱自在にできるようにしてある。
また、腰部１にはベルト通しを設けてベルト１２により腰部１を締め付けることができるようにしている。
【０００９】
図１の正面図に示すように、前記ツナギ作業着の上半身は、袖部１０の脇の下部分に、すなわち胸部３と背中部５との合わせ目及び袖部１０の下部分に適宜幅でそれぞれ切り欠き部分を形成し、該切り欠き部分を被うように細目網状のメッシュ１３を縫着する。
また、肩部４の左右個所には、肩部４布の下地に適宜幅で切り欠き部分を形成し、該切り欠き部分を被う細目網状のメッシュ１３を縫着し、該メッシュ１３を前記肩部４布により目隠しする。
なお、肩部４布は縫着せず、前記肩部４布のファスナー１１側のコーナー部裏面に面ファスナー（図示せず）を設けて肩部４布下地に設けた面ファスナー（図示せず）と着脱自在に構成する。
さらに、図２の背面図に示すように、背中部５の左右個所には、背中部５布の下地に縦方向一直線に適宜幅で切り欠き部分を形成し、該切り欠き部分を被う細目網状のメッシュ１３を縫着し、該メッシュ１３を前記背中部５布により目隠しする。
なお、前記背中部５布も同様に縫着せず、単なる重ね合わせ状態とする。
【００１０】
そして、図２の背面図に示すように、前記ツナギ作業着の下半身は、背中部５の下方の腰部１に横方向の襞を形成した襞部分１４を設け、屈伸時に伸縮自在の構成とする。
また、前記腿部７の左右個所には、腿部７布の下地に横方向一直線に適宜幅で切り欠き部分を形成し、該切り欠き部分を被う細目網状のメッシュ１３を縫着し、折り返し部１５を形成して前記メッシュ１３を前記腿部７布により目隠しする。
さらに、前記膝部８の左右個所には、図１の正面図に示すように、膝部８布の下地に横方向一直線に適宜幅で切り欠き部分を形成し、該切り欠き部分を被う細目網状のメッシュ１２を縫着し、折り返し部１５を形成して前記メッシュ１３を前記膝部８布により目隠しする。
なお、前記折り返し部１５は縫着せず、単なる重ね合わせとする。
【００１１】
次に、本考案のツナギ作業着の作用について、以下図面に基づいて説明する。
本考案のツナギ作業着は通常の作業着と同様にして着ることが出来るが、着終わった後でベルト通しにベルト１２を通して腰部１を締め付けることができる。
着衣が終了したツナギ作業着は、図１、図２に示すように、正面又は背面から見ても袖部１０と脇の下部分にメッシュ１３が施されているので、通気性に優れていることが分かる。
また、肩部４及び背中部５のメッシュ１３は、肩部布及び背中部布の重ね合わせにより目隠しされているので、通気性に優れており、メッシュの存在が見えないデザインとなっている。
こうすることによって、作業中、肩や背中にメッシュの網目からゴミや塵がツナギ作業着中に入り込むことがなくなる。
さらに、腿部７、膝部８のメッシュ１３は、折り返し部１５の重ね合わせにより目隠しされているので、通気性に優れており、メッシュの存在が見えないデザインとなっている。
こうすることによって、折り返し部１５が膝の屈曲時に開口して脚部９の引張りを防止し、さらにメッシュ１３の部分で同時に通気を行うことができる。
【００１２】
一番汗をかく袖部１０と脇の下部分は、適宜幅でそれぞれ切り欠き部分を形成して常時露出する状態でメッシュ１３が縫着されているので、通気性が良好である。
さらに、背中部５の下方の腰部１に横方向の襞を形成した襞部分１４を設けたので、該襞部分１４が屈伸時に伸縮し、上半身又は下半身が引張られることがない。
【図面の簡単な説明】
【００１３】
【図１】本考案のツナギ作業着の正面図である。
【図２】本考案のツナギ作業着の背面図である。
【符号の説明】
【００１４】
１  腰部
２  ポケット
３  胸部
４  肩部
５  背中部
６  臀部
７  腿部
８  膝部
９  脚部
１０  袖部
１１  ファスナー
１２  ベルト
１３  メッシュ
１４  襞部分
１５  折り返し部
【図１】
0003106242.tif 000003
【図２】
0003106242.tif 000004